(57)【要約】【課題】犬等への取付けが容易で、しかも安定的な撮影が可能なカメラを提供すること。【解決手段】犬又は猫に取り付けられるカメラであって、ケース内の導電体ボールの移動によって出力をＯＮ・ＯＦＦ作動させる傾斜センサを備え、犬又は猫の首が起立状態に移行したことを前記傾斜センサで検知して自動的に撮影を行うように構成されていることを特徴とする。【選択図】        図５
2005003819.tif 000002
【特許請求の範囲】
【請求項１】
犬又は猫に取り付けられるカメラであって、ケース内の導電体ボールの移動によって出力をＯＮ・ＯＦＦ作動させる傾斜センサを備え、犬又は猫の首が起立状態に移行したことを前記傾斜センサで検知して自動的に撮影を行うように構成されていることを特徴とするカメラ。
【請求項２】
外部音を検知する音センサを備え、外部音を前記音センサで検知して自動的に撮影するモードを有することを特徴とする請求項１に記載のカメラ。
【請求項３】
タイマを備え、所定時間間隔で自動的に撮影するモードを有することを特徴とする請求項１又は２に記載のカメラ。
【発明の詳細な説明】
【０００１】
【発明の属する技術分野】
本発明は、犬や猫に取り付けられるカメラに関するものである。
【０００２】
【従来の技術】
従来、犬や猫に取り付けられるカメラとして、番犬の首に取り付けられるカメラが知られている。このカメラは、犬が吠えた時のみに作動するように構成されている（特許文献１参照）。
【０００３】
【特許文献１】
特開平８−３７９８２号公報
【０００４】
【発明が解決しようとする課題】
このカメラにあっては、犬が首を上げた時にシャッタがひもで引かれることによってシャッタが押されるような構造となっているため、犬の首への取付けが困難であり、しかも、撮影が安定的に行えないという問題がある。すなわち、撮影を安定的に行うためには、ひもの長さを適正に調整するとともに、ひもを掛ける位置にも配慮しなければならないが、その作業は煩雑であり、しかも、ひもを取り付けた後にも、ひもがずれたりたるんだりして安定的に撮影をすることができないという問題が生じる。
【０００５】
本発明は、犬等への取付けが容易で、しかも安定的な撮影が可能なカメラを提供することを目的としている。
【０００６】
【課題を解決するための手段】
請求項１に記載のカメラは、犬又は猫に取り付けられるカメラであって、ケース内の導電体ボールの移動によって出力をＯＮ・ＯＦＦ作動させる傾斜センサを備え、犬又は猫の首が起立状態に移行したことを前記傾斜センサで検知して自動的に撮影を行うように構成されていることを特徴とする。この場合のカメラとしてはディジタルカメラが好ましい。
【０００７】
この請求項１に記載のカメラによれば、ひもによってシャッタを押して撮影するのでなく、傾斜センサで姿勢検知を行って自動的に撮影を行う構成となっているため、カメラの取付けも容易となり、しかも、安定的に撮影ができることになる。
【０００８】
請求項２に記載のカメラは、請求項１に記載のカメラにおいて、外部音を検知する音センサを備え、外部音を前記音センサで検知して自動的に撮影するモードを有することを特徴とする。
この請求項２に記載のカメラによれば、外部音を音センサで検知し自動的に撮影を行う構成となっているため、犬や猫が何に対して反応して鳴いたか等を写真にて確認することができる。
【０００９】
請求項３に記載のカメラは、請求項１又は２に記載のカメラにおいて、タイマを備え、所定時間間隔で自動的に撮影するモードを有することを特徴とする。
この請求項３に記載のカメラによれば、犬や猫の散策中等に所定時間間隔で自動的に撮影するので、写真にて犬や猫の行動範囲や挙動を確認することができる。
【００１０】
【発明の実施の形態】
（全体構成）
図１には実施形態に係るカメラが示されている。このカメラ１はディジタルカメラであって、本体２には、カメラレンズ４、ストロボ５、シャッタボタン６、モード切替スイッチ７及び電源スイッチ８を備えている。なお、本体２には、パソコン接続用のコネクタ等が付設されていることが好ましい。また、ここに使用されるカメラレンズ４は広角レンズであることが好ましい。
【００１１】
（カメラの取付構造）
カメラ１を犬や猫の首に取り付けるには首輪が利用される。この場合、図２に示すように、首輪３を挿通するためのベルト通し２ａを本体２の裏に予め付設しておくか、両面粘着テープその他の手段によりベルト通し２ａを付設することが好ましい。
なお、カメラ１を被覆するカバーを利用して首輪にカメラ１を取り付けたり、カメラ１を被覆するスカーフを利用して犬の首にカメラ１を取り付けることもできる。
【００１２】
（回路構成）
図３はカメラ１に組み込まれた回路を示している。同図において符号１０は制御装置であり、この制御装置１０に備えられた記憶装置１１には動作プログラム等が格納されている。
制御装置１０は、シャッタボタン６、モード切替スイッチ７、電源スイッチ８、傾斜センサ１２及び音センサ１４等からの信号が入力可能となっており、入力信号に応じて作動する。そして、この制御装置１０からの出力信号がシャッタ駆動装置１５等に向けて出力される。
ここで傾斜センサ１２としては、例えば、図４に示すように筒状ケース１２ａ内の導電体ボール１２ｂの移動によって出力をＯＮ・ＯＦＦ作動させるものが使用される。同図において符号１２ｃが第１接点、負号１２ｄが第２接点となっている。そして、同図（ａ），（ｂ）に示すように導電体ボール１２ｂが第１接点１２ｃと第２接点１２ｄに同時に触れていない時には出力はＯＦＦとなり、同図（ｃ）に示すように導電体ボール１２ｂが第１接点１２ｃと第２接点１２ｄに同時に触れている時には出力はＯＮとなる。
【００１３】
（作用）
カメラ１は撮影モードとして４つのモードを有している。そして、この４つのモードはモード切替スイッチ７によって切替え可能である。以下、各モードについて説明する。
【００１４】
［第１の撮影モード］
第１のモードは通常の撮影モードである。この第１のモードは通常のカメラと同様にシャッタボタン６を押して撮影する手動撮影モードである。
撮影は、電源を投入した状態でファインダを覗いて構図を決定し、シャッタボタン６を押すことによってなされる。この場合の画像データは制御装置１０の記憶装置１１に格納される。
【００１５】
［第２の撮影モード］
第２のモードは犬や猫がお座り姿勢を取った時に撮影するモードである。この第２のモードは自動撮影モードである。
撮影は、図５（ａ）の状態から同図（ｂ）の状態に移行した時、つまり電源を投入した状態で犬や猫がお座り姿勢を取った時に、傾斜センサ１２でもってお座り姿勢が検知され（すなわち、犬や猫はお座り姿勢の時には習性で首を起立させるのでその起立状態が検知され）、その検知信号が制御装置１０に送られることによってなされる。この場合の画像データは制御装置１０の記憶装置１１に格納される。
【００１６】
［第３の撮影モード］
第３のモードは犬や猫が鳴いた時に撮影するモードである。この第３のモードは自動撮影モードである。
撮影は、電源を投入した状態で犬や猫が鳴いた時に、音センサ１４でもってその音が検知され、その検知信号が制御装置１０に送られることによってなされる。この場合の画像データは制御装置１０の記憶装置１１に格納される。
【００１７】
［第４の撮影モード］
第４のモードは所定時間間隔で撮影するモードである。この第３のモードは自動撮影モードである。
撮影は、電源を投入した状態で所定時間間隔毎になされる。この場合の画像データは制御装置１０の記憶装置１１に格納される。
【００１８】
［第５の撮影モード］
第５のモードは所定時間間隔（例えば１分〜３０分間隔）で撮影可能期間と撮影不可能期間とが繰り返され、撮影可能期間内に傾斜センサ１２がＯＮされた時に自動撮影をするものである。この場合の画像データは制御装置１０の記憶装置１１に格納される。すなわち、図６に示すように撮影可能期間内で導電体ボール１２ｂが第１接点１２ｃと第２接点１２ｄに同時に触れている時に撮影が行われる。この場合の画像データは制御装置１０の記憶装置１１に格納される。
【００１９】
［第６の撮影モード］
第６のモードは傾斜センサ１２がＯＮの状態で犬や猫の音声を音センサ１２で検知した時に自動撮影をするものである。すなわち、図７（ａ），（ｂ）に示すように導電体ボール１２ｂが第１接点１２ｃと第２接点１２ｄに同時に触れていない時（出力がＯＦＦの時）には音センサ１４で音声を検知しても撮影は行われない。一方、同図（ｃ）に示すように導電体ボール１２ｂが第１接点１２ｃと第２接点１２ｄに同時に触れている時（出力がＯＮの時）に音センサ１４で音声を検知すると撮影が行われる。この場合の画像データは制御装置１０の記憶装置１１に格納される。
【００２０】
（効果）
以上のように構成されたカメラ１によれば、ひもによってシャッタを押して撮影するのでなく、傾斜センサ１２で姿勢検知を行って自動的に撮影を行う構成となっているため、カメラの取付けも容易となり、しかも、安定的に撮影ができることになる。また、犬又は猫が鳴いた時に音センサがそれを検知し自動的に撮影を行う構成となっているため、犬や猫が何に対して反応して鳴いたかを写真にて確認することができる。さらに、所定時間間隔で自動的に撮影するので、写真にて犬や猫の行動範囲や挙動を確認することができる。
【００２１】
【発明の効果】
本発明の代表的なものの効果を説明すれば、犬又は猫に取り付けられるカメラであって、ケース内の導電体ボールの移動によって出力をＯＮ・ＯＦＦ作動させる傾斜センサを備え、犬又は猫の首が起立状態に移行したことを前記傾斜センサで検知して自動的に撮影を行うように構成されているので、カメラの取付けも容易となり、しかも、安定的に撮影ができることになる。
【図面の簡単な説明】
【図１】本発明に係るカメラの外観図である。
【図２】本発明に係るカメラの取付構造を示す図である。
【図３】本発明に係るカメラの内部回路図である。
【図４】本発明に係るカメラに組み込まれる傾斜センサの構成図である。
【図５】第２の撮影モードを説明するための図である。
【図６】第５の撮影モードを説明するための図である。
【図７】第６の撮影モードを説明するための図である。
【符号の説明】
１      カメラ
１２    傾斜センサ
１２ａ  ケース
１２ｂ  導電性ボール
１２ｃ  第１の接点
１２ｄ  第２の接点
１４    音センサ
【図１】
2005003819.tif 000003
【図２】
2005003819.tif 000004
【図３】
2005003819.tif 000005
【図４】
2005003819.tif 000006
【図５】
2005003819.tif 000007
【図６】
2005003819.tif 000008
【図７】
2005003819.tif 000009